(57)【要約】  本発明は、電荷（５）のセットの少なくとも一つの電気モータを有する家電機器の入力電圧（１）を制御するための制御システム及び制御方法に関する。この制御は、処理装置（３）を用いて実行され、出力スイッチ（４）のセットを選択的及び独立に作動できるため、電荷（５）のセットの装置のそれぞれを異なる方法で作動させる。【選択図】図２
2014531884.tif 000002
【特許請求の範囲】
【請求項１】
家電機器の制御システムであって、
入力電圧（１）と、
処理装置（３）と、
出力スイッチ（４）のセットと、
動作電圧を有する電荷（５）のセットと、
を少なくとも含み、
前記処理装置（３）は、
前記入力電圧（１）を検出し、前記電荷（５）のセットを作動させるために、前記出力スイッチ（４）のセットを作動させるように構成され、
前記の検出した入力電圧（１）を前記電荷（５）のセットの装置のそれぞれの動作電圧と一致させ、前記入力電圧（１）を前記電荷（５）のセットの装置のそれぞれに独立して一致させるために、異なる方法で前記出力スイッチ（４）のセットを作動させるように構成されることを特徴とする制御システム。
【請求項２】
前記処理装置（３）が前記の検出した入力電圧（１）を前記電荷（５）のセットの装置のそれぞれの動作電圧に一致させるように構成できるために、前記入力電圧（１）に関する情報を提供する電圧レベルセンサー（６）をさらに含むことを特徴とする請求項１に記載の家電機器の制御システム。
【請求項３】
前記処理装置（３）が前記電荷（５）のセットの装置のそれぞれをオン及びオフするタイミングを規定するように構成されることを特徴とする請求項１又は２に記載の家電機器の制御システム。
【請求項４】
前記処理装置（３）が９０Ｖ〜２６０Ｖの入力電圧の範囲で動作することを特徴とする請求項１〜３のいずれか一項に記載の家電機器の制御システム。
【請求項５】
前記処理装置（３）が前記入力電圧（１）を前記電荷（５）のセットの装置のそれぞれの９０Ｖ〜１２７Ｖの動作電圧と一致させるために、前記出力スイッチ（４）のセットを動作させることを特徴とする請求項１〜４のいずれか一項に記載の家電機器の制御システム。
【請求項６】
前記処理装置（３）は、前記家電機器の制御インターフェイス（７）に従って、前記電荷（５）のセットの装置を管理するように構成されることを特徴とする請求項１〜３のいずれか一項に記載の家電機器の制御システム。
【請求項７】
前記処理装置（３）は、前記入力電圧（１）の位相の制御を用いて、前記電荷（５）のセットの装置を管理するように構成されることを特徴とする請求項１〜３のいずれか一項に記載の家電機器の制御システム。
【請求項８】
前記処理装置（３）は、前記入力電圧（１）の全サイクルを制御することにより、前記電荷（５）のセットの装置を管理するように構成されることを特徴とする請求項１〜３のいずれか一項に記載の家電機器の制御システム。
【請求項９】
前記電荷（５）のセットの装置のうちの少なくとも一つは、二つ以上のコイルを有し、
前記処理装置（３）は、前記二つ以上のコイルを直列又は並列のいずれかに結合することにより、前記電荷（５）のセットの装置を管理するように構成されることを特徴とする請求項１〜３のいずれか一項に記載の家電機器の制御システム。
【請求項１０】
前記処理装置（３）は、パルス幅変調（ＰＷＭ）によって前記電荷（５）のセットの装置を管理するように構成されることを特徴とする請求項１〜３のいずれか一項に記載の家電機器の制御システム。
【請求項１１】
前記電荷（５）のセットの装置のうちの少なくとも一つは、二つ以上のコイルを有し、
前記処理装置（３）は、前記入力電圧（１）の位相又はサイクルを制御することによって、パルス幅変調によって、及び前記二つ以上のコイルを直列又は並列のいずれかに結合することによって、前記電荷（５）のセットの装置を同時に管理するように構成されることを特徴とする請求項１〜３のいずれか一項に記載の家電機器の制御システム。
【請求項１２】
前記処理装置（３）は、電圧選別機、整流器を有する変換器、増倍器、及び／又は分圧器を使用することを特徴とする請求項１１に記載の家電機器の制御システム。
【請求項１３】
前記電荷（５）のセットの装置のうちの少なくとも一つは、少なくとも二つのコイルを有する電気モータであることを特徴とする請求項１〜３のいずれか一項に記載の家電機器の制御システム。
【請求項１４】
動作電圧を有する電荷（５）のセットと、入力電圧（１）とを有する家電機器の制御方法であって、
前記入力電圧（１）を検出するステップと、
前記電荷（５）のセットの装置の動作電圧を規定するステップと、
を含み、
出力スイッチ（４）のセットを作動させるモードを規定するステップと、
前記入力電圧（１）を前記電荷（５）のセットの装置のそれぞれの動作電圧に独立して一致させるために異なる方法で前記出力スイッチ（４）のセットを作動させるステップと、
をさらに含むことを特徴とする家電機器の制御方法。
【請求項１５】
前記出力スイッチ（４）のセットを作動させるステップの間に、前記電荷（５）のセットの装置のそれぞれをオン及びオフするタイミングを規定することを特徴とする請求項１４に記載の家電機器の制御方法。
【請求項１６】
前記入力電圧（１）を前記電荷（５）のセットの装置のそれぞれの９０Ｖ〜１２７Ｖの動作電圧に一致させるために、前記出力スイッチ（４）のセットを作動させるステップを含むことを特徴とする請求項１４又は１５に記載の家電機器の制御方法。
【請求項１７】
前記出力スイッチ（４）のセットを作動させるステップは、前記家電機器の制御インターフェイスに従って、前記電荷（５）のセットの装置を管理することを特徴とする請求項１４〜１６のいずれか一項に記載の家電機器の制御方法。
【請求項１８】
前記出力スイッチ（４）のセットを作動させるステップは、前記入力電圧（１）の位相を制御することによって、前記電荷（５）のセットの装置を管理することを特徴とする請求項１４〜１６のいずれか一項に記載の家電機器の制御方法。
【請求項１９】
前記出力スイッチ（４）のセットを作動させるステップは、前記入力電圧（１）の全サイクルを制御することによって、前記電荷（５）のセットの装置を管理することを特徴とする請求項１４〜１６のいずれか一項に記載の家電機器の制御方法。
【請求項２０】
前記電荷（５）のセットの装置のうちの少なくとも一つは、二つ以上のコイルを有し、
前記出力スイッチ（４）のセットを作動させるステップは、前記二つ以上のコイルを直列又は並列のいずれかに結合することによって、前記電荷（５）の装置を管理することを特徴とする請求項１４〜１６のいずれか一項に記載の家電機器の制御方法。
【請求項２１】
前記出力スイッチ（４）のセットを作動させるステップは、パルス幅変調（ＰＷＭ）によって、前記電荷（５）のセットの装置を管理することを特徴とする請求項１４〜１６のいずれか一項に記載の家電機器の制御方法。
【請求項２２】
前記電荷（５）のセットの装置のうちの少なくとも一つは、二つ以上のコイルを有し、
前記出力スイッチ（４）のセットを作動させるステップは、前記入力電圧（１）の位相又はサイクルを制御することによって、パルス幅変調（ＰＷＭ）によって、及び前記二つ以上のコイルを直接又は並列のいずれかに結合することによって、前記電荷（５）のセットの装置を同時に管理することを特徴とする請求項１４〜１６のいずれか一項に記載の家電機器の制御方法。
【請求項２３】
前記出力スイッチ（４）のセットを作動させるステップは、電圧選別機、整流器を有する変換器、増倍器及び／又は分圧器を使用することを特徴とする請求項２２に記載の家電機器の制御方法。
【請求項２４】
前記電荷（５）のセットの装置のうちの少なくとも一つは、少なくとも二つのコイルを有する電気モータであることを特徴とする請求項１４〜１６のいずれか一項に記載の家電機器の制御方法。
【請求項２５】
請求項１〜１３のいずれか一項に記載のシステム又は請求項１４〜２４のいずれか一項に記載の方法を含むことを特徴とする家電機器。
【請求項２６】
冷蔵庫、冷凍庫、空調装置、又は衣類洗濯機であることを特徴とする請求項２５に記載の家電機器。
【発明の詳細な説明】
【技術分野】
【０００１】
本発明は、電荷の部品の少なくとも一つの電気モータを有する家電機器の入力電圧を制御するためのシステム及び方法に関する。この制御は、出力スイッチの部品を選択的及び独立に作動できる処理装置を用いて実行される。したがって、電荷の部品の当該装置のそれぞれの異なるモードを作動させる。
【背景技術】
【０００２】
現在のところ、多数の国は、異なるレベルの電圧で電気エネルギーの生成・配布に関して、各国において異なる。特に、コンピュータ、ＴＶセット、ステレオセット等の電気装置の大部分は、自動電圧制御を含む両電圧特性（ｂｉ−ｖｏｌｔａｇｅ  ｃｈａｒａｃｔｅｒｉｓｔｉｃ）を有する。それは、特定の電圧で完全に機能する様々な入力電圧（通常、１１０Ｖ又は２２０Ｖ）に調整できる。家電機器のほとんどは、とりわけ電力及び制御のような要因（ｆａｃｔｏｒ）が原因で、現在の技術に限定された機能の電気モータを必要とするため、この特性は、家電機器の領域ではあまり広まっていない。
【０００３】
この点について、エンドユーザ（ｆｉｎａｌ  ｕｓｅｒ）がスイッチを用いて実行する手動切替え（ｍａｎｕａｌ  ｓｗｉｔｃｈｉｎｇ）を有する両電圧（ｂｉ−ｖｏｌｔａｇｅ）で動作できる製品はあまりない。それは、機能のための装置（ｄｅｖｉｃｅｓ  ｆｏｒ  ｔｈｅｉｒ  ｆｕｎｃｔｉｏｎｉｎｇ）のコイルの構成を通常修正する。しかしながら、わずかのユーザは、これらの機能の特定の知識を有し、頻繁に機能的なエラーを引き起こし、家電機器を焦がすことと、機能の部分的な損失とを伴い、装置の保護のレベルに依存したリスクだけでなく、これらのユーザに対する障害ももたらす。
【０００４】
したがって、これらの障害を防ぐために、さらに、ユーザのための保護を増加し、ユーザに不必要な保証サービスを防ぐため、メーカー（ｍａｋｅｒ）を連想させるイメージに対するダメージを減少させ、装置が機能する許容レベルの入力電圧の自動的な変更は、義務的な業務になる。
【０００５】
同様に、単相誘導モータ（ｓｉｎｇｌｅ−ｐｈａｓｅ  ｉｎｄｕｃｔｉｏｎ  ｍｏｔｏｒｓ）は、簡素、頑健性、及び高性能に起因して、家電機器で広く使用されている。単相誘導モータは、とりわけ、冷蔵庫、冷凍庫、空調機、洗濯機等の様々な家電機器に応用されているため、誘導モータは、誘導モータが（起動又は実行）される状態に対して選択的に用いられる二つの巻線から一般的に構成されるコイルを有する固定子と、かご形ロータ（ｃａｇｅ−ｔｙｐｅ  ｒｏｔｏｒ）を通常備える。
【０００６】
この点について、圧縮機の通常動作中に、始動動作（ｓｔａｒｔ  ｍｏｔｉｏｎ）の始まりは、ロータを加速させるために高電力が必要であるため、モータの機能の第一の動作中に、始動巻線（ｓｔａｒｔ  ｗｉｎｄｉｎｇ）が給電されている間のみ、運転巻線（ｒｕｎ  ｗｉｎｄｉｎｇ）が交流電圧によって給電される。したがって、モータは、設計（ｄｅｓｉｇｎｅｄ）された電圧の上又は下の１０パーセントよりも通常高くない変動のある限られた電圧の範囲の作動用に特別に設計及び構成される。これらの変動が１０パーセントよりも高い場合、モータの新しい設計及び創出（ｎｅｗ  ｄｅｓｉｇｎ  ａｎｄ  ｃｏｎｓｔｒｕｃｔｉｏｎ）が必要である。
【０００７】
この問題を解決するための可能な試みは、両ボルトシステム（ｂｉ−ｖｏｌｔ  ｓｙｓｔｅｍ）の設計の文献に開示されている。文献、米国特許第４，４１５，９６４号明細書は、１１０Ｖでオンになるときにコイルを並列な構成に変更することにより、１１０Ｖの出力をもたらし、２２０Ｖでオンになるときにコイルを直列に変更することにより、１１０Ｖの出力を再現する、出力変圧器のコイルの構成を修正する、入力電圧に独立に、電圧出力を自動的に調節するように構成されたシステムの設計を開示する。しかしながら、このような方法で、文献は、作動させる装置の直接編成（ｄｉｒｅｃｔ  ｏｒｇａｎｉｚａｔｉｏｎ）でなく、出力の変圧器を使用しているため、それらを制御するだけでなく、オンにする可能な電荷を限定する（ｌｉｍｉｔ  ｐｏｓｓｉｂｌｅ  ｃｈａｒｇｅｓ  ｔｏ  ｂｅ  ｔｕｒｎｅｄ  ｏｎ）。
【０００８】
従来技術として考慮すべき他の情報は、文献、米国特許第５，００１，６２３号明細書内で見つけることができる。その文献は、連続的な電流出力を有する自動制御システムを開示する。しかしながら、それは、上述した文献と同じ障害を開示する。文献、米国特許第７，５２８，７３４号明細書は、入力電圧を表示し、特定の場所の現在の電圧が装置の機能として求められたものか否かユーザに知らせるように構成されたシステムを開示する。しかしながら、そのシステムが出力電圧を変更又は制御することはない。
【発明の概要】
【発明が解決しようとする課題】
【０００９】
示した文献は、本発明と比較すると製造及び維持費だけでなく、過渡振動及び給電ラインの他の擾乱、さらにエネルギーの膨大な消費に非常に影響を受けやすい。
【００１０】
この点において、ランプ及び送風機のような低電力制御は、現在、用いられる入力電圧を再設定するために設計された他の自動制御システム及び変圧器で失われたエネルギーの余分な消費を必要とする。
【００１１】
別に、電気モータを用いる従来の家電機器は、電気モータの高電力がこれらの適用に必要な寸法の容量が大きいことが原因で、電気モータの高電力が作動（ａｃｔｕａｔｉｏｎ）させるための電圧制御源（ｖｏｌｔａｇｅ  ｒｅｇｕｌａｔｉｏｎ  ｓｏｕｒｃｅｓ）として変圧器を使用することが不可能であるため、特定の電圧に対して通常設計される。
【００１２】
さらに、現在、用いられる家電機器は、ユーザの快適性に対して様々な機能性を有する。米国特許第７，７１６，９３７号明細書のような文献は、とりわけダンパー（ｄａｍｐｅｒ）、送風機、蒸発器、コンデンサ（ｃｏｎｄｅｎｓｅｒ）、モータ、除氷抵抗（ｄｅｉｃｎｇ  ｒｅｓｉｓｔａｎｃｅ）、ライト（ｌｉｇｈｔｓ）、ディスプレイ、気温センサー等に現在のところ、いくつかの発見された機能性を開示する。これらの装置の異なるタイプは、機能最適化に対する規格相違（ｄｉｆｆｅｒｅｎｔ  ｓｐｅｃｉｆｉｃａｔｉｏｎｓ）を有するだけでなく、異なる動作の前提条件を有する。
【００１３】
したがって、この発明によって示された制御は、装置に給電されるべき入力電圧の動作の形態を変化させることによって、装置の制御の自動化だけでなく、制御されるべき全ての装置の最適化をもたらす。
【００１４】
そこで、本発明の目的は、シンプルで強固なトポロジー（ｓｉｍｐｌｅ  ａｎｄ  ｒｏｂｕｓｔ  ｔｏｐｏｌｏｇｙ）に加えて、費用が減少した自動電圧制御装置を提供することである。それは、異なる電圧の市場に対して決定された製品グループ（ｄｅｔｅｒｍｉｎｅｄ  ｆａｍｉｌｙ  ｏｆ  ｐｒｏｄｕｃｔｓ  ｆｏｒ  ｍａｒｋｅｔｓ）に対応する必要とされるモデルの減少と、広域的な使用（ｕｓｅ  ｏｎ  ａ  ｌａｒｇｅ  ｓｃａｌｅ）を可能にする。
【００１５】
この発明の別の目的は、これらの装置の電気的制御がわずかなエネルギー消費であることである。
【００１６】
この発明の別の目的は、電気的制御が、給電ネットワークから生じる過渡振動（ｏｓｃｉｌｌａｔｉｏｎ  ｔｒａｎｓｉｅｎｔ）又は擾乱（ｄｉｓｔｕｒｂａｎｃｅ）にあまり影響を受けないこと（ｌｅｓｓ  ｓｕｓｃｅｐｔｉｂｌｅ）である。
【００１７】
この発明の更なる目的は、家電機器のインターフェイスのインタラクション（ｉｎｔｅｒａｃｔｉｏｎ  ｗｉｔｈ  ｉｎｔｅｒｆａｃｅｓ  ｏｆ  ｈｏｕｓｅｈｏｌｄ  ａｐｐｌｉａｎｃｅｓ）と、ユーザの快適さの様々な機能性の制御だけでなく、作動に対して異なる前提条件を有する様々な装置の最適化制御である。
【課題を解決するための手段】
【００１８】
発明の第一の実施形態は、入力電圧、処理装置、出力スイッチのセット（ｓｅｔ  ｏｆ  ｏｕｔｐｕｔ  ｓｗｉｔｃｈｅｓ）、及び電荷のセット（ｓｅｔ  ｏｆ  ｅｌｅｃｔｒｉｃ  ｃｈａｒｇｅｓ）を少なくとも一つ含み、電気モータを含み、動作電圧（ｏｐｅｒａｔｉｏｎ  ｖｏｌｔａｇｅ）を有するシステムの家電機器の制御システムを示し、処理装置は、入力電圧を検出し、装置を作動させるための出力スイッチのセットを作動させ、検出した入力電圧を装置の動作電圧と一致させ、電圧を電荷のセットの装置のそれぞれに独立して一致させるために異なる方法で出力スイッチのセットを作動させる（ａｃｔｉｎｇ  ｏｎ）ように構成される家電機器の制御システムを示す。
【００１９】
発明は、電気モータを含む電荷のセットを有する家電機器の制御方法であって、入力電圧を検出するステップと、電荷のセットの装置の動作電圧を規定するステップと、出力スイッチの作動モードを規定するステップと、電圧を電荷のセットの装置のそれぞれに独立して一致させるために異なる方法で出力スイッチのセットを作動させるように構成されるステップとを含む家電機器の制御方法も示す。
【図面の簡単な説明】
【００２０】
本発明は、図面に図示された実施形態の一例に基づいて今まで以上に詳しく説明する。
【図１】発明の好ましい実施形態のブロック図を示す。
【図２】発明の好ましい実施形態で達成見込の制御を描写するブロック図を示す。
【図３】１１０Ｖの入力電圧の全サイクルによる装置の制御モードのうちの一つのグラフを示す。
【図４】２２０Ｖの入力電圧の全サイクルによる装置の制御モードのうちの一つのグラフを示す。
【図５】１１０Ｖの入力電圧の位相による装置の制御モードのうちの一つのグラフを示す。
【図６】２２０Ｖの入力電圧の位相による装置の制御モードのうちの一つのグラフを示す。
【図７】１１０Ｖの入力電圧の電荷の構成による（ｂｙ  ｏｒｇａｎｉｚａｔｉｏｎ  ｏｆ  ｃｈａｒｇｅ）装置の制御モードのうちの一つのグラフを示す。
【図８】２２０Ｖの入力電圧の電荷の構成による装置の制御モードのうちの一つのグラフを示す。
【発明を実施するための形態】
【００２１】
図１は、本発明の好ましい実施形態を示す。このように、図１は、整流器２を用いた入力電圧１によって給電される処理装置３を示す。処理装置３は、入力電圧１によっても給電され得、システムに印加されるこの入力電圧１の大きさ（ｄｉｍｅｎｓｉｏｎｓ  ｏｆ  ｔｈｉｓ  ｉｎｐｕｔ  ｖｏｌｔａｇｅ）を検出するように構成される。システムの検出は、電圧値を計算及び規定する処理装置３に直接的に送信される入力電圧１で直接的に、又は、電圧レベルセンサー６に給電する入力電圧１で間接的に行われてもよい。それは、この入力電圧１の大きさ（ｄｉｍｅｎｓｉｏｎｓ）を検出し、この情報を処理装置３に分析のために供給するため、処理装置３は、入力電圧１の値を計算及び規定する責任を負う。
【００２２】
この点において、処理装置３は、出力スイッチ４のセットの選択的な駆動の様々なモードを規定するように構成される。それは、電気機械スイッチ（継電器（ｒｅｌａｙｓ）又はソレノイド（ｓｏｌｅｎｏｉｄｓ）等）又は電気的に制御されたスイッチ（静止スイッチ（ｓｔａｔｉｃ  ｓｗｉｔｃｈ）、ＴＲＩＡＣｓ、又はトランジスタ等）を好ましくは含み、入力電圧１によっても給電される。出力スイッチ４のセットのこれらのスイッチは、入力電圧１が電荷５のセットの様々な装置の動作電圧に調節できるように、電荷５のセットの装置（好ましくは１２７Ｖの決定された動作電圧を有する）を異なる方法で作動させるように構成される。この駆動は、入力電圧１だけでなく、制御された電荷５のセットの装置の種類によって規定されることを意味する。
【００２３】
このように、処理装置３は、直接的に、又は、電圧レベルセンサー６を用いて入力電力１を検出することと、出力スイッチ４のセットの動作の最良の手段と規定することのために構成される。図１は、最適化された方法のシステムの装置を管理するために必要な情報を取得することと、制御インターフェイス７を用いて家電機器のユーザの情報を提供すること等の処理装置３がボタン及び気温センサーを用いて、制御インターフェイス７からの情報を受信するように構成されることも説明する。それは、ユーザとコミュニケーションをとるために、とりわけディスプレイ又はＬＥＤ（ｌｅｄｓ）を使用してもよい。
【００２４】
この点について、図２は、制御されるべき装置のブロック図を示す。処理装置３は、電荷５のセットの装置の様々な種類を独立に及び異なる方法で制御するように構成されることは、注目すべきである。それは、圧縮機８、除氷抵抗（ｄｅｉｃｉｎｇ  ｒｅｓｉｓｔａｎｃｅ）９、ランプ１０、ポート（ｐｏｒｔｓ）又は自動化の他の種類を開けたり閉じたりする異なるモータ１１、羽根（ｖａｎｅ）１５、アラームのためのラウドスピーカ等の他の任意の信号の種類に対する一つ以上の出力等の様々な構成要素を有してもよい。
【００２５】
同様に、処理装置３は、ボタン、ＬＣＤ若しくはＬＥＤを備えるディスプレイ若しくはスクリーン、タッチスクリーン、音声命令であってもよい制御される装置の機能を最適化するための、家電機器のポートセンサー１３、気温センサー１４、又は制御インターフェイス７等の冷却システム内、処理装置３内、又は冷却システムの外側のセンサーであってもよい様々な構成要素からの情報を受信するようにも構成される。
【００２６】
このように、処理装置３は、正確な時間に必要な全ての業務を実行（ｃａｒｒｙ  ｏｕｔ  ａｌｌ  ｎｅｃｅｓｓａｒｙ  ｏｐｅｒａｔｉｏｎｓ）し、さらに動作プログラムの機能性に起因してエネルギーの節約をもたらし、処理装置３は、冷却システムがその技術仕様書に基づいて機能できるように、それぞれの構成要素に対する特定の電圧を選択するために出力スイッチ４のセットの動作モードだけでなく、それぞれのスイッチのオン／オフのための時間を規定することで、最善の方法で全ての装置を同時に管理するように構成されるプログラムを含んでもよいことは、注目すべきである。
【００２７】
与えられた動作の管理の例は、ランプ及び除氷抵抗９等の相互からの干渉を受ける電荷と逆の方法の装置の動作である。除氷抵抗９がオンのときに冷却システムのポートを開けると、ランプ１０（恒明（ｃｏｎｓｔａｎｔ  ｌｉｇｈｔ）の代わりの点滅光（ｂｌｉｎｋｉｎｇ  ｌｉｇｈｔ））の点滅に気づくことができる。これは、除氷抵抗９がオンになっているサイクルの電圧低下に起因する。それで、処理装置３は、除氷抵抗９がオンになる場合、冷却システムのポートを開けると、ポートが開いている間は、オフにされるという問題を検出するように構成されてもよい。ポートが閉じられるとき、除氷抵抗９は、再度、オンになる。
【００２８】
図３〜８は、本発明の装置の管理のための可能な制御モードを示す。最もよく使われる方法において、電荷５のセットの装置は、１２７Ｖに対して寸法が定められ、これらの装置は、ランプ、送風機、モータの抵抗と異なる。本発明の好ましい実施形態において用いられるモータが後により詳細に説明する、特定の構造を有する。
【００２９】
この点について、図３は、処理装置３により制御される電荷５のセットの装置の位相による制御と呼ばれる、本発明の装置を管理する制御モードを示す。それは、９０Ｖ〜１７０Ｖの本発明の動作の好ましい範囲の約１１０Ｖの値の入力電圧１を検出する。これにより、処理装置３は、入力電圧１の全ての波が電荷５のセットの電荷に給電されるように、出力スイッチ４のセットを作動させる。このような方法で、装置に印加される電圧は、装置の動作の電圧値を有することにより、これらの装置は、印加される入力電圧１の１００パーセントを有する（約１２７Ｖ）。
【００３０】
同様に、図４は、１７０Ｖ〜２２０Ｖの本発明の動作の好ましい範囲の約２２０Ｖの値を有する入力電圧を備える装置を作動させる、位相による制御モードを示す。これにより、処理装置３は、入力電圧１を検出し、電荷５のセットの装置に給電される前に修正されるべきことを規定する。したがって、処理装置３は、出力スイッチ４のセットを作動させる波のサイクルが削減することを達成する。位相によるこの削減は、約１２７Ｖの動作電圧の値の半分の装置に給電される終止電圧を提供することに注目すべきである。このような方法で、システムは、入力電圧１が電荷５のセットの装置の動作電圧と異なるときであっても、装置の動作電圧を伝える。この制御は、とりわけ速度制御なしで、除氷抵抗、送風機に一般に用いられる、点滅のルール（Ｆｌｉｃｋｅｒ  ｒｕｌｅ）を使用することを注目すべきである。
【００３１】
図５は、１２７Ｖの動作電圧を有する電荷５のセットの装置を管理するための制御システムを示す。ここで、全サイクル制御と呼ばれるモードにおいて、処理装置３は、入力電圧が約１１０Ｖであることを検出する。このように、処理装置３は、入力電圧波が電荷に給電されるという方法で、出力スイッチ４のセットを作動させることに注目すべきである。
【００３２】
図６は、電荷５のセットが１２７Ｖの動作電圧を有し、処理装置３が約２２０Ｖの入力電圧を検出するときに、全サイクル制御による本発明の同一の制御モードを示す。この点について、処理装置は、全サイクル制御を使用する白熱電球等の高調波の低電力及び表現レベルでない（ｌｏｗ  ｐｏｗｅｒ  ａｎｄ  ｎｏｎ−ｅｘｐｒｅｓｓｉｖｅ  ｌｅｖｅｌｓ  ｏｆ  ｈａｒｍｏｎｉｃｓ）装置を制御する最良の態様を規定する。これは、光強度（ｌｉｇｈｔ  ｉｎｔｅｎｓｉｔｙ）の目に見える変化をもたらすため、全体の波サイクル（ｗｈｏｌｅ  ｗａｖｅ  ｃｙｃｌｅ）と全サイクルの削減の活用は、特定のランプの場合（ｆｏｒ  ｃｅｒｔａｉｎ  ｏｃｃａｓｉｏｎｓ，  ａｓ  ｉｎ  ｔｈｅ  ｃａｓｅ  ｏｆ  ｌａｍｐｓ）、用いられていないことに注目すべきである。したがって、それは、波サイクル中の物理的削減に応じて非正弦波を生成する制御モードを使用する。
【００３３】
別の方法で、図７，８は、異なる動作電圧で選択的に動作をするように、構造化（ｏｒｇａｎａｉｚｅｄ）できる構成要素を有する電荷５のセットの装置を示す。このように、図７は、並列な電荷５のセットの装置の電荷の組み合わせを示す。ここで、処理装置３は、約１１０Ｖの値の入力電圧１を検出する。一方、図８は、直列に電荷５のセットの装置の電荷の組み合わせを逆に説明する。ここで、処理装置３は約２２０Ｖの値の入力電圧１を検出する。出力スイッチ４のセットは、電荷５のセットの装置の電荷の組み合わせを直接作動させることに注目すべきである。この制御は、異なる方法で結合されてもよいコイルを有する圧縮機に通常用いられる電気モータのような、高い電力を有する装置に通常適用される。
【００３４】
これらの電気モータは、一つ以上の運転巻線（ｒｕｎ  ｗｉｎｄｉｎｇ）を少なくとも一つ有する固定子と、一つ以上の始動巻線（ｓｔａｒｔ  ｗｉｎｄｉｎｇ）と、かご形ロータとを含む誘導モータであることが好ましい。これらの誘導モータは、制御された変数速度（ｃｏｎｔｒｏｌｌｅｄ  ｖａｒｉａｂｌｅ  ｖｅｌｏｃｉｔｙ）の種類に加えて、公開されていない他の種類であるものの、明確にされた設定で構成されてもよい。本発明の好ましい実施形態では、これらの誘導モータのコイルは、直列又は並列のいずれかに結合されてもよい二つの部分に分割された主要なコイルと、主要なコイルの部分のうちの一つに並列に接続された補助始動コイル（ａｕｘｉｌｉａｒｙ  ｓｔａｒｔ  ｃｏｉｌ）とを含むＴ接続（Ｔ−ｃｏｎｎｅｃｔｉｏｎ）で構造化される（ｏｒｇａｎｉｚｅｄ）。
【００３５】
最後に、本発明で用いられる技術において、本発明は、変圧器を使用しないため、装置がオフになるときに電力の余分な消費をしないことに注目することが重要である。そして、パルス幅変調（ＰＷＭ）、電圧源、整流器を備えた変換器、電圧増倍器（又は分圧器）等に使用（ｃｉｔｅｄ）できる様々な他の制御モードがある。したがって、本発明で示した頑強な制御（Ｒｏｂｕｓｔ  ｃｏｎｔｒｏｌ）は、電圧の広範囲（好ましくは、９０Ｖ〜２６０Ｖ）に用いられてもよい。これにより、装置の様々な種類は、本発明により、同時に、独立に、及び異なる方法で制御できる。
【００３６】
説明した実施形態の好ましい例は、本発明の範囲が他の可能な変更を含み、均等の範囲を含む添付された請求項の内容によってのみ限定されることを理解すべきである。
【図１】
2014531884.tif 000003
【図２】
2014531884.tif 000004
【図３】
2014531884.tif 000005
【図４】
2014531884.tif 000006
【図５】
2014531884.tif 000007
【図６】
2014531884.tif 000008
【図７】
2014531884.tif 000009
【図８】
2014531884.tif 000010
【手続補正書】
【提出日】平成25年12月19日(2013.12.19)
【手続補正１】
【補正対象書類名】明細書
【補正対象項目名】０００８
【補正方法】変更
【補正の内容】
【０００８】
従来技術として考慮すべき他の情報は、文献、米国特許第５，００１，６２３号明細書内で見つけることができる。その文献は、連続的な電流出力を有する自動制御システムを開示する。しかしながら、それは、上述した文献と同じ障害を開示する。文献、米国特許第７，５２８，７３４号明細書は、入力電圧を表示し、特定の場所の現在の電圧が装置の機能として求められたものか否かユーザに知らせるように構成されたシステムを開示する。しかしながら、そのシステムが出力電圧を変更又は制御することはない。
さらに、直流給電システムは、直流給電を活用しているユーザに十分な有用性を与えることを目的とする文献、特開２０１０−２８８３８７号公報に開示される。当該システムは、直流電圧を給電する直流電力供給手段と、給電ライン（ｆｅｅｄ  ｌｉｎｅ）で提供された直流電圧を前記直流電力供給手段から異なる動作電圧を有する複数の直流電圧の負荷（ｌｏａｄ）に変換する電圧変換手段とを備える。当該システムは、前記電圧変換手段によって変換された所定直流電圧を設定する電圧設定手段をさらに備える。
【手続補正２】
【補正対象書類名】特許請求の範囲
【補正対象項目名】全文
【補正方法】変更
【補正の内容】
【特許請求の範囲】
【請求項１】
家電機器の制御システムであって、
入力電圧（１）と、
処理装置（３）と、
出力スイッチ（４）のセットと、
動作電圧を有する電荷（５）のセットと、
を少なくとも含み、
前記処理装置（３）は、
前記入力電圧（１）を検出し、前記電荷（５）のセットを作動させるために、前記出力スイッチ（４）のセットを作動させるように構成され、
前記の検出した入力電圧（１）を前記電荷（５）のセットの装置のそれぞれの動作電圧と一致させ、前記入力電圧（１）を前記電荷（５）のセットの装置のそれぞれに独立して一致させるために、異なる方法で前記出力スイッチ（４）のセットを作動させるように構成されることを特徴とする制御システム。
【請求項２】
前記処理装置（３）が前記の検出した入力電圧（１）を前記電荷（５）のセットの装置のそれぞれの動作電圧に一致させるように構成できるために、前記入力電圧（１）に関する情報を提供する電圧レベルセンサー（６）をさらに含むことを特徴とする請求項１に記載の家電機器の制御システム。
【請求項３】
前記処理装置（３）が前記電荷（５）のセットの装置のそれぞれをオン及びオフするタイミングを規定するように構成されることを特徴とする請求項１又は２に記載の家電機器の制御システム。
【請求項４】
前記処理装置（３）が９０Ｖ〜２６０Ｖの入力電圧の範囲で動作することを特徴とする請求項１〜３のいずれか一項に記載の家電機器の制御システム。
【請求項５】
前記処理装置（３）が前記入力電圧（１）を前記電荷（５）のセットの装置のそれぞれの９０Ｖ〜１２７Ｖの動作電圧と一致させるために、前記出力スイッチ（４）のセットを動作させることを特徴とする請求項１〜４のいずれか一項に記載の家電機器の制御システム。
【請求項６】
前記処理装置（３）は、前記家電機器の制御インターフェイス（７）に従って、前記電荷（５）のセットの装置を管理するように構成されることを特徴とする請求項１〜３のいずれか一項に記載の家電機器の制御システム。
【請求項７】
前記処理装置（３）は、前記入力電圧（１）の位相の制御を用いて、前記電荷（５）のセットの装置を管理するように構成されることを特徴とする請求項１〜３のいずれか一項に記載の家電機器の制御システム。
【請求項８】
前記処理装置（３）は、前記入力電圧（１）の全サイクルを制御することにより、前記電荷（５）のセットの装置を管理するように構成されることを特徴とする請求項１〜３のいずれか一項に記載の家電機器の制御システム。
【請求項９】
前記電荷（５）のセットの装置のうちの少なくとも一つは、二つ以上のコイルを有し、
前記処理装置（３）は、前記二つ以上のコイルを直列又は並列のいずれかに結合することにより、前記電荷（５）のセットの装置を管理するように構成されることを特徴とする請求項１〜３のいずれか一項に記載の家電機器の制御システム。
【請求項１０】
前記処理装置（３）は、パルス幅変調（ＰＷＭ）によって前記電荷（５）のセットの装置を管理するように構成されることを特徴とする請求項１〜３のいずれか一項に記載の家電機器の制御システム。
【請求項１１】
前記電荷（５）のセットの装置のうちの少なくとも一つは、二つ以上のコイルを有し、
前記処理装置（３）は、前記入力電圧（１）の位相又はサイクルを制御することによって、パルス幅変調によって、及び前記二つ以上のコイルを直列又は並列のいずれかに結合することによって、前記電荷（５）のセットの装置を同時に管理するように構成されることを特徴とする請求項１〜３のいずれか一項に記載の家電機器の制御システム。
【請求項１２】
前記処理装置（３）は、電圧選別機、整流器を有する変換器、増倍器、及び／又は分圧器を使用することを特徴とする請求項１１に記載の家電機器の制御システム。
【請求項１３】
前記電荷（５）のセットの装置のうちの少なくとも一つは、少なくとも二つのコイルを有する電気モータであることを特徴とする請求項１〜３のいずれか一項に記載の家電機器の制御システム。
【請求項１４】
動作電圧を有する電荷（５）のセットと、入力電圧（１）とを有する家電機器の制御方法であって、
前記入力電圧（１）を検出するステップと、
前記電荷（５）のセットの装置の動作電圧を規定するステップと、
を含み、
出力スイッチ（４）のセットを作動させるモードを規定するステップと、
前記入力電圧（１）を前記電荷（５）のセットの装置のそれぞれの動作電圧に独立して一致させるために異なる方法で前記出力スイッチ（４）のセットを作動させるステップと、
をさらに含むことを特徴とする家電機器の制御方法。
【請求項１５】
前記出力スイッチ（４）のセットを作動させるステップの間に、前記電荷（５）のセットの装置のそれぞれをオン及びオフするタイミングを規定することを特徴とする請求項１４に記載の家電機器の制御方法。
【請求項１６】
前記入力電圧（１）を前記電荷（５）のセットの装置のそれぞれの９０Ｖ〜１２７Ｖの動作電圧に一致させるために、前記出力スイッチ（４）のセットを作動させるステップを含むことを特徴とする請求項１４又は１５に記載の家電機器の制御方法。
【請求項１７】
前記出力スイッチ（４）のセットを作動させるステップは、前記家電機器の制御インターフェイスに従って、前記電荷（５）のセットの装置を管理することを特徴とする請求項１４〜１６のいずれか一項に記載の家電機器の制御方法。
【請求項１８】
前記出力スイッチ（４）のセットを作動させるステップは、前記入力電圧（１）の位相を制御することによって、前記電荷（５）のセットの装置を管理することを特徴とする請求項１４〜１６のいずれか一項に記載の家電機器の制御方法。
【請求項１９】
前記出力スイッチ（４）のセットを作動させるステップは、前記入力電圧（１）の全サイクルを制御することによって、前記電荷（５）のセットの装置を管理することを特徴とする請求項１４〜１６のいずれか一項に記載の家電機器の制御方法。
【請求項２０】
前記電荷（５）のセットの装置のうちの少なくとも一つは、二つ以上のコイルを有し、
前記出力スイッチ（４）のセットを作動させるステップは、前記二つ以上のコイルを直列又は並列のいずれかに結合することによって、前記電荷（５）の装置を管理することを特徴とする請求項１４〜１６のいずれか一項に記載の家電機器の制御方法。
【請求項２１】
前記出力スイッチ（４）のセットを作動させるステップは、パルス幅変調（ＰＷＭ）によって、前記電荷（５）のセットの装置を管理することを特徴とする請求項１４〜１６のいずれか一項に記載の家電機器の制御方法。
【請求項２２】
前記電荷（５）のセットの装置のうちの少なくとも一つは、二つ以上のコイルを有し、
前記出力スイッチ（４）のセットを作動させるステップは、前記入力電圧（１）の位相又はサイクルを制御することによって、パルス幅変調（ＰＷＭ）によって、及び前記二つ以上のコイルを直接又は並列のいずれかに結合することによって、前記電荷（５）のセットの装置を同時に管理することを特徴とする請求項１４〜１６のいずれか一項に記載の家電機器の制御方法。
【請求項２３】
前記出力スイッチ（４）のセットを作動させるステップは、電圧選別機、整流器を有する変換器、増倍器及び／又は分圧器を使用することを特徴とする請求項２２に記載の家電機器の制御方法。
【請求項２４】
前記電荷（５）のセットの装置のうちの少なくとも一つは、少なくとも二つのコイルを有する電気モータであることを特徴とする請求項１４〜１６のいずれか一項に記載の家電機器の制御方法。
【請求項２５】
冷蔵庫の制御システムであって、
前記冷蔵庫は、少なくとも一つのドアを含み、
前記制御システムは、
入力電圧（１）と、
前記入力電圧（１）を検出するように構成された処理装置（３）と、
動作電圧を有する電荷（５）のセットと、
を少なくとも含み、
前記電荷（５）のセットは、除氷抵抗（９）を少なくとも含み、
前記処理装置（３）は、前記冷蔵庫の前記ドアの開くと前記除氷抵抗（９）がオンになることを前記処理装置（３）が検出する場合に、前記冷蔵庫の前記ドアが開いている間、前記除氷抵抗（９）をオフにするように構成され、
さらに、前記処理装置（３）は、前記冷蔵庫の前記ドアが閉じているときに、前記除氷抵抗（９）を、再度、オンにするように構成されることを特徴とする冷蔵庫の制御システム。
【請求項２６】
前記電荷（５）のセットは、ランプ（１０）をさらに含み、
前記処理装置（３）は、前記除氷抵抗（９）がオンであるときに、前記ランプ（１０）の動作電圧の低下を検出するように構成されることを特徴とする請求項２５に記載の冷蔵庫の制御システム。
【請求項２７】
前記処理装置（３）が、前記の検出した入力電圧（１）を前記電荷（５）のセットの装置のそれぞれの動作電圧に一致させるように構成できるように、前記入力電圧（１）に関する情報を提供する電圧レベルセンサー（６）をさらに含むことを特徴とする請求項２５に記載の冷蔵庫の制御システム。
【請求項２８】
前記処理装置（３）は、９０Ｖ〜２６０Ｖの入力電圧（１）の範囲で動作することを特徴とする請求項２５に記載の冷蔵庫の制御システム。
【請求項２９】
前記処理装置（３）は前記入力電圧（１）を、前記電荷（５）のセットの装置のそれぞれの９０Ｖ〜１２７Ｖの動作電圧に一致させるための出力スイッチ（４）のセットを動作させることを特徴とする請求項２５に記載の冷蔵庫の制御システム。
【請求項３０】
前記処理装置（３）は、前記冷蔵庫の制御インターフェイス（７）に従って、前記電荷（５）のセットの装置を管理するように構成されることを特徴とする請求項２５に記載の冷蔵庫の制御システム。
【請求項３１】
前記処理装置（３）は、前記入力電圧（１）の位相の制御を用いて、前記電荷（５）のセットの装置を管理するように構成されることを特徴とする請求項２５に記載の冷蔵庫の制御システム。
【請求項３２】
前記処理装置（３）は、前記入力電圧（１）の全サイクルを制御することによって、前記電荷（５）のセットの装置を管理するように構成されることを特徴とする請求項２５に記載の冷蔵庫の制御システム。
【請求項３３】
前記処理装置（３）は、パルス幅変調（ＰＷＭ）によって、前記電荷（５）のセットの装置を管理するように構成されることを特徴とする請求項２５に記載の冷蔵庫の制御システム。
【請求項３４】
前記処理装置（３）は、電圧選別機、整流器を有する変換器、増倍器及び／又は分圧器を使用することを特徴とする請求項２５に記載の冷蔵庫の制御システム。
【請求項３５】
冷蔵庫の制御方法であって、
前記冷蔵庫は、少なくとも一つのドアと、動作電圧を有する電荷（５）のセット及び入力電圧（１）を検出するように構成された処理装置（３）とを含み、
前記電荷（５）のセットは、除氷抵抗（９）を少なくとも含み、
前記冷蔵庫の前記ドアの開くことに応じて前記除氷抵抗（９）がオンになることを前記処理装置（３）が検出する場合に、前記冷蔵庫の前記ドアが開いている間、前記除氷抵抗（９）をオフにするステップと、
前記冷蔵庫の前記ドアが閉じているときに前記除氷抵抗（９）をオンにするステップと、
を含むことを特徴とする冷蔵庫の制御方法。
【請求項３６】
前記電荷（５）のセットは、ランプ（１０）も含み、
前記除氷抵抗（９）がオンであるときに、前記ランプ（１０）の動作電圧の低下を検出するステップをさらに含むことを特徴とする請求項３５に記載の冷蔵庫の制御方法。
【請求項３７】
前記処理装置（３）は、前記の検出した入力電圧（１）を、前記電荷（５）のセットの装置のそれぞれの動作電圧に一致させるように構成できることを特徴とする請求項３５に記載の冷蔵庫の制御方法。
【請求項３８】
前記入力電圧（１）を、前記電荷（５）のセットの装置の９０Ｖ〜１２７Ｖの動作電圧に一致させるための出力スイッチ（４）のセットを動作させるステップをさらに含むことを特徴とする請求項３５に記載の冷蔵庫の制御方法。
【請求項３９】
前記冷蔵庫の制御インターフェイス（７）に従って、前記電荷（５）のセットの装置の管理を提供するステップをさらに含むことを特徴とする請求項３５に記載の冷蔵庫の制御方法。
【請求項４０】
前記入力電圧（１）の位相の制御を用いて、前記電荷（５）のセットの装置の管理を提供するステップをさらに含むことを特徴とする請求項３５に記載の冷蔵庫の制御方法。
【請求項４１】
前記入力電圧（１）の全サイクルを制御することによって、前記電荷（５）のセットの装置の管理を提供するステップをさらに含むことを特徴とする請求項３５に記載の冷蔵庫の制御方法。
【請求項４２】
前記パルス幅変調（ＰＷＭ）によって、前記電荷（５）のセットの装置の管理を提供するステップをさらに含むことを特徴とする請求項３５に記載の冷蔵庫の制御方法。
【請求項４３】
請求項１〜１３，２５〜３４のいずれか一項に記載のシステム又は請求項１４〜２４，３５〜４２のいずれか一項に記載の方法を含むことを特徴とする家電機器。
【請求項４４】
冷蔵庫、冷凍庫、空調装置、又は衣類洗濯機であることを特徴とする請求項４５に記載の家電機器。
【国際調査報告】
2014531884.tif 000011
2014531884.tif 000012
2014531884.tif 000013